(57)【要約】      （修正有）【課題】簡単な構造でしかも安価で、シャッター装置の開閉移動するシャッターカーテンを上下方向の任意の位置（任意の開き具合）で留めることのできるシャッターカーテン留めを提供する。【解決手段】シャッターカーテン留めは、蝶番の一片の板上にシャッターカーテンの上下に隣合うスラットの突出した連接部を跨ぐことのできる間隔で対向して、それぞれスラット裏面に磁着することのできる一対のブロック１１０が取り付けられてなることを特徴とする。ブロック１１０は、それぞれブロック部分１１２、およびブロック部分１１２の表面上に貼り付けられ、ブロック１１０がスラットに磁着したときにスラットを傷つけないようにするためと風圧等による騒音防止のためのゴム磁石片１１４から構成されている。【選択図】図１
0003147693.tif 000002
【実用新案登録請求の範囲】
【請求項１】
蝶番の一片の板上にシャッターカーテンの上下に隣合うスラットの突出した連接部を跨ぐことのできる間隔で対向して、それぞれスラット裏面に磁着することのできる一対のブロックが取り付けられてなるシャッターカーテン留め。
【請求項２】
前記ブロックの少なくとも上部の一部が、スラットを磁着するとともに、スラットを傷つけないためと風圧等による騒音防止のため、ゴム磁石片で構成されている請求項１のシャッターカーテン留め。
【請求項３】
前記ブロック全体がゴム磁石で形成されている請求項１のシャッターカーテン留め。
【請求項４】
蝶番の他方の板上に両面接着テープが貼り付けられている請求項１〜３のいずれかのシャッターカーテン留め。
【請求項５】
前記蝶番が平面状にしたとき隣り合う一対の矩形の板と、これら一対の矩形の板の隣接した縁部に設けられた軸受け部と、この軸受け部に挿通された軸芯とを備え、前記軸受け部が、一方の板に取り付けられた第１軸受け半部と、他方の板に取り付けられた第２軸受け半部とを備え、これらの第１軸受け半部および／または第２軸受け半部には、蝶番を平面状にした状態で考えて、少なくともその上部の一部に開口が設けられて、前記軸芯の少なくとも上部が露出するようになっており、該軸芯のこの露出した部分には、軸方向に水平に延びるスリットが設けられており、このスリットには、本シャッターカーテン留めをシャッターカーテンに取り付けたとき、前記蝶番の一対の板を押さえるための押さえ板が挿通・取り付けられるようになっている請求項１〜４のいずれかのシャッターカーテン留め。
【考案の詳細な説明】
【技術分野】
【０００１】
本考案は、シャッターカーテン留めに関し、詳細には多数のスラットの連設で形成されたシャッターカーテンで出入口や窓等の開口部を開閉する開口部用シャッター装置や車庫用シャッター装置等の各種のシャッター装置に利用できるシャッターカーテン留めに関するものである。
【背景技術】
【０００２】
多数のスラットの連設で形成されたシャッターカーテンで出入口や窓等の開口部を開閉する開口部用シャッター装置には、閉じたシャッターカーテンの開き移動を阻止するための施錠装置が設けられ、この施錠装置は、必要に応じて開錠できるようになっている。
【０００３】
下記の特許文献１に係る施錠装置では、シャッターカーテンの幅方向端部の付近において係止部材が回動中心軸を中心に回動自在に配置され、開閉移動するシャッターカーテンの幅方向端部がスライド自在に挿入されたガイド部材の内部には被係止部材が配置され、係止部材が回動することにより、この係止部材が被係止部材に係脱してシャッターカーテンを施錠、開錠するようになっている。
【０００４】
【特許文献１】特開平８−１０９７８０号（特許請求の範囲、段落番号０００９及び００１０、図２及び図３）この特許文献１に開示された施錠装置によれば、夏の暑いときなど、シャッターカーテンの下部を少し開けておき（人間が侵入できないほど）、通気を行え、涼しくすごすことができる。
【０００５】
しかしながら、この施錠装置は、構造が複雑なため、価格が高くなってしまうという問題点がある。
【考案の開示】
【考案が解決しようとする課題】
【０００６】
そこで、本考案は、簡単な構造で（しかも安価で）、シャッター装置の開閉移動するシャッターカーテンを上下方向の任意の位置（任意の開き具合）で留めることのできるシャッターカーテン留めを提供することを目的とする。
【課題を解決するための手段】
【０００７】
上記目的は、下記（１）〜（４）に記載の構造の本考案によるシャッターカーテン留めによって達成することができる。
（１）蝶番の一片の板上にシャッターカーテンの上下に隣合うスラットの突出した連接部を跨ぐことのできる間隔で対向して、それぞれスラット裏面に磁着することのできる一対のブロックが取り付けられてなるシャッターカーテン留め。
（２）前記ブロックの少なくとも上部の一部が、スラットを磁着するとともに、スラットを傷つけないためと風圧等による騒音防止のため、ゴム磁石片で構成されている上記（１）のシャッターカーテン留め。
（３）前記ブロック全体がゴム磁石で形成されている上記（１）のシャッターカーテン留め。
（４）蝶番の他方の板上に両面接着テープが貼り付けられている上記（１）〜（３）のいずれかのシャッターカーテン留め。
（５）前記蝶番が平面状にしたとき隣り合う一対の矩形の板と、これら一対の矩形の板の隣接した縁部に設けられた軸受け部と、この軸受け部に挿通された軸芯とを備え、前記軸受け部が、一方の板に取り付けられた第１軸受け半部と、他方の板に取り付けられた第２軸受け半部とを備え、これらの第１軸受け半部および／または第２軸受け半部には、蝶番を平面状にした状態で考えて、少なくともその上部の一部に開口が設けられて、前記軸芯の少なくとも上部が露出するようになっており、該軸芯のこの露出した部分には、軸方向に水平に延びるスリットが設けられており、このスリットには、本シャッターカーテン留めをシャッターカーテンに取り付けたとき、前記蝶番の一対の板を押さえるための押さえ板が挿通・取り付けられるようになっている上記（１）〜（４）のいずれかのシャッターカーテン留め。
なお、本考案のシャッターカーテン留めにおいては、蝶番の上記他方の板は、建物の壁等の躯体に取り付けられているガイド部材であるガイドレール等によって両面接着テープ等により固定される。
【考案の効果】
【０００８】
本考案のシャッターカーテン留めによれば、上記したような簡単な構造で、シャッター装置の開閉移動するシャッターカーテンを上下方向の任意の位置（任意の開き具合）で留めることができる。
【考案を実施するための最良の形態】
【０００９】
以下に本考案の実施の形態によるシャッターカーテン留めを図面に基づいて説明する。図１〜７は、第１の実施の形態によるシャッターカーテン留めの種々な状態を示している。
【００１０】
本シャッターカーテン留め１００は、図に示したように蝶番１０２を備えている。この蝶番１０２は、枢軸１０４で連結された１対の板１０６、１０８を備えている。これらの一方の板１０６には、該板１０６の長手方向に所定の間隔を置いて一対のブロック１１０が取り付け固定されている。上記所定の間隔とは、シャッターカーテンの上下に連続するスラットを回動可能に連接するための連接部に隣接して設けられた突出部（シャッターカーテンの裏面側（屋内方向）を跨ぐことの出来る間隔（シャッターカーテンの種類によって異なる）である。
【００１１】
上記ブロック１１０は、それぞれブロック部分１１２、および該ブロック部分１１２の表面上に貼り付けられ、ブロック１１０がスラットに磁着したときにスラットを傷つけないようにするためと風圧等による騒音防止のためのゴム磁石片１１４から構成されている。スラットの傷付きを考慮しない場合には、上記軟層は、不要である。
【００１２】
上記ブロック１１０は、その全体をゴム磁石のブロックで構成してもよい。
【００１３】
次に、シャッター装置について図８を用いて簡単に説明する。
建物の出入口である開口部２を上下に移動して開閉するシャッターカーテン１は、開口部２の左右両側において建物の壁等の躯体に取り付けられているガイド部材であるガイドレール４に、左右の幅方向両端部がスライド自在に挿入されている。開口部２の上部にはシャッターケース５が設けられ、このシャッターケース５の内部に巻取軸が左右一対のブラケットで支持されて回転自在に収納配置され、この巻取軸にシャッターカーテン１の上端が結合されている。シャッターカーテン１の閉じ側の端部、換言すると、シャッターカーテン１の下端部は座板８となっており、この座板８の上端には、多数のスラット９が上下に連結され、このため、シャッターカーテン１は、上下に隣合うスラットを突出した枢軸である連接部１２で連接したスラット式となっている。図１３によく示されているように、連接部１２に隣接して突出部１３（シャッターカーテンの裏面側（屋内方向）が設けられている。
【００１４】
シャッターカーテン１が一対のガイドレール４に案内されて上昇し、座板８が、シャッターケース５の下面を形成していて、シャッターカーテン１を上下に挿通させているスリットが設けられているまぐさに達するまで、シャッターカーテン１が巻取軸に巻き取られることにより、シャッターカーテン１は開口部２を全開とする。また、座板８に係止棒等の操作棒の先端を係止等して手作業で引き下げ操作を行うと、シャッターカーテン１は巻取軸を回転させながら巻取軸から繰り出されて閉じ移動し、座板８が開口部２の床２Ａに接地することにより、シャッターカーテン１は開口部２を全閉とする。
【００１５】
なお、このようにシャッターカーテン１を巻取軸から繰り出して閉じ移動されるときには、回転する巻取軸に組み込まれている図示しないリターンスプリングが蓄圧されるため、全閉位置又は全閉となる途中位置で停止しているシャッターカーテン１を手操作で開き移動させるために上昇させるときには、この蓄圧力により、シャッターカーテン１を軽く上昇させることができる。
【００１６】
シャッターカーテン１を形成している多数のスラット９のうち、所定のスラット９Ａには、すなわち、シャッターカーテン１が全閉となっているときにほぼ腰の高さ位置にあるスラット９Ａには、シャッターカーテン１を手操作で開き移動及び閉じ移動させるために手を掛ける手掛け部の一部を形成する部材となっている合成樹脂製又は金属製等の手掛け部材１０がシャッターカーテン１の幅方向に２個設けられている。また、このスラット９Ａには、２個の手掛け部材１０の間においてロック装置１１も設けられている。なお、手掛け部材１０は、スラット９Ａにおいて、例えば、ロック装置１１に隣接させて１個だけ設けてもよい。なお、通常のロック装置１１は、シャッターカーテン１が全閉の時にのみ施錠されるようになっている。
【００１７】
次に、上記した第１の実施の態様のシャッターカーテン留め１００の使用方法について説明する。
【００１８】
まず、図７の状態で、板１０６、１０８が面一になったときに板１０６のブロック１１０、１１２が設けられた面と同じ板１０８の面に両面接着テープ（図示せず）を貼り、そしてそれを図８に示した位置のガイドレール４の表面に貼り付ける。用いる両面接着テープは、接着力が強いものが好ましい。
【００１９】
次いで、図７に矢印で示した方向に、板１０６およびブロック１１０、１１２を図９に示した位置まで回動させる。このとき、ブロック１１０、１１２は、突出部１３を跨いだ状態で、しかもスラット９に磁着した状態となっている。これにより、シャッターカーテン１は、固定状態となる。なお、図８において、符号２Ａは、シャッターカーテン１がある程度開いた状態での空間を示す。
【００２０】
シャッター装置の中には、図１０に示したように上記突出部１３の先端とガイドレール４の表面が面一になっているものがある。その時には、図１０に示したようにして、シャッターカーテンを固定する。
【００２１】
上記の構造のシャッターカーテン留めは、例えば、図１０に示したような状態の時、シャッターカーテンの表（シャッターカーテン留めが取り付けられた側と反対側）から衝撃が加えられると、ブロック１１０、１１２が設けられている側の板１０６がシャッターカーテンから外れて、図８に実線で示された状態になってしまうことがある。これは、磁石の磁力が弱いためであると考えられる。
そこで、このようなことがないように次のように用いる蝶番を工夫した。
【００２２】
図１１に示したように、蝶番２００は、平面状にしたとき隣り合う一対の矩形の板２０２および２０４と、これら一対の矩形の板の隣接した縁部２０２ａおよび２０４ａに設けられた軸受け部２０６と、この軸受け部に挿通された軸芯２０８（図１２参照）とを備えている。前記軸受け部２０６は、一方の板２０２に取り付けられた第１軸受け半部２０６ａと、他方の板２０４に取り付けられた第２軸受け半部２０６ｂとを備え、これらの第１軸受け半部２０６ａおよび／または第２軸受け半部２０６ｂには、蝶番を平面状にした状態で考えて、少なくともその上部の一部に開口が設けられて、前記軸芯の少なくとも上部が露出するようになっており、該軸芯のこの露出した部分には、軸方向に水平に延びるスリット２１２が設けられており、このスリットには、本シャッターカーテン留めをシャッターカーテンに取り付けたとき、前記蝶番の一対の板を押さえるための押さえ板２１４が挿通・取り付けられるようになっている。
【００２３】
この押さえ板２１４は、弾性ある鋼で形成されていることが望ましい。この押さえ板２１４は、図１１に示した状態で何かの衝撃で板１０６が跳ね上がってしまうのを防止する。なお、押さえ板２１４は、弾力性ある鋼で形成されているので、図９の状態の時にも十分に対応できる。
【００２４】
本考案のシャッターカーテン留めは、上記したように、簡単な構造で（しかも安価で）、シャッター装置の開閉移動するシャッターカーテンを上下方向の任意の位置（任意の開き具合）で留めることのでき実用的である。
【図面の簡単な説明】
【００２５】
【図１】第１の実施の形態によるシャッターカーテン留めの斜視図である。
【図２】第１の実施の形態によるシャッターカーテン留めを他の方向から見た斜視図である。
【図３】第１の実施の形態によるシャッターカーテン留め他の態様で示す斜視図である。
【図４】第１の実施の形態によるシャッターカーテン留めを他の方向から見た斜視図である。
【図５】第１の実施の形態によるシャッターカーテン留め他の態様で示す斜視図である。
【図６】第１の実施の形態によるシャッターカーテン留めを他の方向から見た斜視図である。
【図７】第１の実施の形態によるシャッターカーテン留めのブロックの回動状態を示す斜視図である。
【図８】シャッターカーテン装置の構造を説明するための裏面図である。
【図９】第１の実施の形態によるシャッターカーテン留めをシャッターカーテン装置に取り付けた状態で示した斜視図である。
【図１０】形が異なるシャッターカーテン装置に第１の実施の形態によるシャッターカーテン留めを取り付けた状態で示した斜視図である。
【図１１】本発明の実施の形態のシャッターカーテン留めに用いる蝶番の変形例と押さえ板を示す正面図である。
【図１２】図１１に示した蝶番に用いられる軸芯の側面図である。
【符号の説明】
【００２６】
１  シャッターカーテン
２  開口部
４  ガイドレール
５  シャッターケース
８  座板
９  スラット
９Ａ  スラット
１０  手掛け部材
１１  ロック装置
１２  連接部
１３  突出部
１００  シャッターカーテン留め
１０２  蝶番
１０４  枢軸
１０６  板
１０８  板
１１０  ブロック
１１２  ブロック部分
１１４  ゴム磁石片
１２０  シャッターカーテン留め
１２２  板
２００  蝶番
２０２  板
２０４  板
２０６  軸受け部
２０８  軸芯
２１２  スリット
２１４  押さえ板
【図１】
0003147693.tif 000003
【図２】
0003147693.tif 000004
【図３】
0003147693.tif 000005
【図４】
0003147693.tif 000006
【図５】
0003147693.tif 000007
【図６】
0003147693.tif 000008
【図７】
0003147693.tif 000009
【図８】
0003147693.tif 000010
【図９】
0003147693.tif 000011
【図１０】
0003147693.tif 000012
【図１１】
0003147693.tif 000013
【図１２】
0003147693.tif 000014
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
蝶番の一片の板上にシャッターカーテンの上下に隣合うスラットの突出した連接部を跨ぐことのできる間隔で対向して、それぞれスラット裏面に磁着することのできる一対のブロックが取り付けられてなるシャッターカーテン留め。
【請求項２】
前記ブロックの少なくとも上部の一部が、スラットを磁着するとともに、スラットを傷つけないためと風圧等による騒音防止のため、ゴム磁石片で構成されている請求項１のシャッターカーテン留め。
【請求項３】
前記ブロック全体がゴム磁石で形成されている請求項１のシャッターカーテン留め。
【請求項４】
蝶番の他方の板上に両面接着テープが貼り付けられている請求項１〜３のいずれかのシャッターカーテン留め。
【請求項５】
前記蝶番が平面状にしたとき隣り合う一対の矩形の板と、これら一対の矩形の板の隣接した縁部に設けられた軸受け部と、この軸受け部に挿通された軸芯とを備え、前記軸受け部が、一方の板に取り付けられた第１軸受け半部と、他方の板に取り付けられた第２軸受け半部とを備え、これらの第１軸受け半部および／または第２軸受け半部には、蝶番を平面状にした状態で考えて、少なくともその上部の一部に開口が設けられて、前記軸芯の少なくとも上部が露出するようになっており、該軸芯のこの露出した部分には、軸方向に水平に延びるスリットが設けられており、このスリットには、本シャッターカーテン留めをシャッターカーテンに取り付けたとき、前記蝶番の一対の板を押さえるための押さえ板が挿通・取り付けられるようになっている請求項１〜４のいずれかのシャッターカーテン留め。
【手続補正２】
【補正対象書類名】明細書
【補正対象項目名】全文
【補正方法】変更
【補正の内容】
【考案の詳細な説明】
【技術分野】
【０００１】
本考案は、シャッターカーテン留めに関し、詳細には多数のスラットの連設で形成されたシャッターカーテンで出入口や窓等の開口部を開閉する開口部用シャッター装置や車庫用シャッター装置等の各種のシャッター装置に利用できるシャッターカーテン留めに関するものである。
【背景技術】
【０００２】
多数のスラットの連設で形成されたシャッターカーテンで出入口や窓等の開口部を開閉する開口部用シャッター装置には、閉じたシャッターカーテンの開き移動を阻止するための施錠装置が設けられ、この施錠装置は、必要に応じて開錠できるようになっている。
【０００３】
下記の特許文献１に係る施錠装置では、シャッターカーテンの幅方向端部の付近において係止部材が回動中心軸を中心に回動自在に配置され、開閉移動するシャッターカーテンの幅方向端部がスライド自在に挿入されたガイド部材の内部には被係止部材が配置され、係止部材が回動することにより、この係止部材が被係止部材に係脱してシャッターカーテンを施錠、開錠するようになっている。
【０００４】
【特許文献１】特開平８−１０９７８０号（特許請求の範囲、段落番号０００９及び００１０、図２及び図３）この特許文献１に開示された施錠装置によれば、夏の暑いときなど、シャッターカーテンの下部を少し開けておき（人間が侵入できないほど）、通気を行え、涼しくすごすことができる。
【０００５】
しかしながら、この施錠装置は、構造が複雑なため、価格が高くなってしまうという問題点がある。
【考案の開示】
【考案が解決しようとする課題】
【０００６】
そこで、本考案は、簡単な構造で（しかも安価で）、シャッター装置の開閉移動するシャッターカーテンを上下方向の任意の位置（任意の開き具合）で留めることのできるシャッターカーテン留めを提供することを目的とする。
【課題を解決するための手段】
【０００７】
上記目的は、下記（１）〜（４）に記載の構造の本考案によるシャッターカーテン留めによって達成することができる。
（１）蝶番の一片の板上にシャッターカーテンの上下に隣合うスラットの突出した連接部を跨ぐことのできる間隔で対向して、それぞれスラット裏面に磁着することのできる一対のブロックが取り付けられてなるシャッターカーテン留め。
（２）前記ブロックの少なくとも上部の一部が、スラットを磁着するとともに、スラットを傷つけないためと風圧等による騒音防止のため、ゴム磁石片で構成されている上記（１）のシャッターカーテン留め。
（３）前記ブロック全体がゴム磁石で形成されている上記（１）のシャッターカーテン留め。
（４）蝶番の他方の板上に両面接着テープが貼り付けられている上記（１）〜（３）のいずれかのシャッターカーテン留め。
（５）前記蝶番が平面状にしたとき隣り合う一対の矩形の板と、これら一対の矩形の板の隣接した縁部に設けられた軸受け部と、この軸受け部に挿通された軸芯とを備え、前記軸受け部が、一方の板に取り付けられた第１軸受け半部と、他方の板に取り付けられた第２軸受け半部とを備え、これらの第１軸受け半部および／または第２軸受け半部には、蝶番を平面状にした状態で考えて、少なくともその上部の一部に開口が設けられて、前記軸芯の少なくとも上部が露出するようになっており、該軸芯のこの露出した部分には、軸方向に水平に延びるスリットが設けられており、このスリットには、本シャッターカーテン留めをシャッターカーテンに取り付けたとき、前記蝶番の一対の板を押さえるための押さえ板が挿通・取り付けられるようになっている上記（１）〜（４）のいずれかのシャッターカーテン留め。
なお、本考案のシャッターカーテン留めにおいては、蝶番の上記他方の板は、建物の壁等の躯体に取り付けられているガイド部材であるガイドレール等によって両面接着テープ等により固定される。
【考案の効果】
【０００８】
本考案のシャッターカーテン留めによれば、上記したような簡単な構造で、シャッター装置の開閉移動するシャッターカーテンを上下方向の任意の位置（任意の開き具合）で留めることができる。
【考案を実施するための最良の形態】
【０００９】
以下に本考案の実施の形態によるシャッターカーテン留めを図面に基づいて説明する。図１〜７は、第１の実施の形態によるシャッターカーテン留めの種々な状態を示している。
【００１０】
本シャッターカーテン留め１００は、図に示したように蝶番１０２を備えている。この蝶番１０２は、枢軸１０４で連結された１対の板１０６、１０８を備えている。これらの一方の板１０６には、該板１０６の長手方向に所定の間隔を置いて一対のブロック１１０が取り付け固定されている。上記所定の間隔とは、シャッターカーテンの上下に連続するスラットを回動可能に連接するための連接部に隣接して設けられた突出部（シャッターカーテンの裏面側（屋内方向）を跨ぐことの出来る間隔（シャッターカーテンの種類によって異なる）である。
【００１１】
上記ブロック１１０は、それぞれブロック部分１１２、および該ブロック部分１１２の表面上に貼り付けられ、ブロック１１０がスラットに磁着したときにスラットを傷つけないようにするためと風圧等による騒音防止のためのゴム磁石片１１４から構成されている。スラットの傷付きを考慮しない場合には、上記軟層は、不要である。
【００１２】
上記ブロック１１０は、その全体をゴム磁石のブロックで構成してもよい。
【００１３】
次に、シャッター装置について図８を用いて簡単に説明する。
建物の出入口である開口部２を上下に移動して開閉するシャッターカーテン１は、開口部２の左右両側において建物の壁等の躯体に取り付けられているガイド部材であるガイドレール４に、左右の幅方向両端部がスライド自在に挿入されている。開口部２の上部にはシャッターケース５が設けられ、このシャッターケース５の内部に巻取軸が左右一対のブラケットで支持されて回転自在に収納配置され、この巻取軸にシャッターカーテン１の上端が結合されている。シャッターカーテン１の閉じ側の端部、換言すると、シャッターカーテン１の下端部は座板８となっており、この座板８の上端には、多数のスラット９が上下に連結され、このため、シャッターカーテン１は、上下に隣合うスラットを突出した枢軸である連接部１２で連接したスラット式となっている。図１３によく示されているように、連接部１２に隣接して突出部１３（シャッターカーテンの裏面側（屋内方向）が設けられている。
【００１４】
シャッターカーテン１が一対のガイドレール４に案内されて上昇し、座板８が、シャッターケース５の下面を形成していて、シャッターカーテン１を上下に挿通させているスリットが設けられているまぐさに達するまで、シャッターカーテン１が巻取軸に巻き取られることにより、シャッターカーテン１は開口部２を全開とする。また、座板８に係止棒等の操作棒の先端を係止等して手作業で引き下げ操作を行うと、シャッターカーテン１は巻取軸を回転させながら巻取軸から繰り出されて閉じ移動し、座板８が開口部２の床２Ａに接地することにより、シャッターカーテン１は開口部２を全閉とする。
【００１５】
なお、このようにシャッターカーテン１を巻取軸から繰り出して閉じ移動されるときには、回転する巻取軸に組み込まれている図示しないリターンスプリングが蓄圧されるため、全閉位置又は全閉となる途中位置で停止しているシャッターカーテン１を手操作で開き移動させるために上昇させるときには、この蓄圧力により、シャッターカーテン１を軽く上昇させることができる。
【００１６】
シャッターカーテン１を形成している多数のスラット９のうち、所定のスラット９Ａには、すなわち、シャッターカーテン１が全閉となっているときにほぼ腰の高さ位置にあるスラット９Ａには、シャッターカーテン１を手操作で開き移動及び閉じ移動させるために手を掛ける手掛け部の一部を形成する部材となっている合成樹脂製又は金属製等の手掛け部材１０がシャッターカーテン１の幅方向に２個設けられている。また、このスラット９Ａには、２個の手掛け部材１０の間においてロック装置１１も設けられている。なお、手掛け部材１０は、スラット９Ａにおいて、例えば、ロック装置１１に隣接させて１個だけ設けてもよい。なお、通常のロック装置１１は、シャッターカーテン１が全閉の時にのみ施錠されるようになっている。
【００１７】
次に、上記した第１の実施の態様のシャッターカーテン留め１００の使用方法について説明する。
【００１８】
まず、図７の状態で、板１０６、１０８が面一になったときに板１０６のブロック１１０、１１２が設けられた面と同じ板１０８の面に両面接着テープ（図示せず）を貼り、そしてそれを図８に示した位置のガイドレール４の表面に貼り付ける。用いる両面接着テープは、接着力が強いものが好ましい。
【００１９】
次いで、図７に矢印で示した方向に、板１０６およびブロック１１０、１１２を図９に示した位置まで回動させる。このとき、ブロック１１０、１１２は、突出部１３を跨いだ状態で、しかもスラット９に磁着した状態となっている。これにより、シャッターカーテン１は、固定状態となる。なお、図８において、符号２Ａは、シャッターカーテン１がある程度開いた状態での空間を示す。
【００２０】
シャッター装置の中には、図１０に示したように上記突出部１３の先端とガイドレール４の表面が面一になっているものがある。その時には、図１０に示したようにして、シャッターカーテンを固定する。
【００２１】
上記の構造のシャッターカーテン留めは、例えば、図１０に示したような状態の時、シャッターカーテンの表（シャッターカーテン留めが取り付けられた側と反対側）から衝撃が加えられると、ブロック１１０、１１２が設けられている側の板１０６がシャッターカーテンから外れて、図８に実線で示された状態になってしまうことがある。これは、磁石の磁力が弱いためであると考えられる。
そこで、このようなことがないように次のように用いる蝶番を工夫した。
【００２２】
図１１に示したように、蝶番２００は、平面状にしたとき隣り合う一対の矩形の板２０２および２０４と、これら一対の矩形の板の隣接した縁部２０２ａおよび２０４ａに設けられた軸受け部２０６と、この軸受け部に挿通された軸芯２０８（図１２参照）とを備えている。前記軸受け部２０６は、一方の板２０２に取り付けられた第１軸受け半部２０６ａと、他方の板２０４に取り付けられた第２軸受け半部２０６ｂとを備え、これらの第１軸受け半部２０６ａおよび／または第２軸受け半部２０６ｂには、蝶番を平面状にした状態で考えて、少なくともその上部の一部に開口が設けられて、前記軸芯の少なくとも上部が露出するようになっており、該軸芯のこの露出した部分には、軸方向に水平に延びるスリット２１２が設けられており、このスリットには、本シャッターカーテン留めをシャッターカーテンに取り付けたとき、前記蝶番の一対の板を押さえるための押さえ板２１４が挿通・取り付けられるようになっている。
【００２３】
この押さえ板２１４は、弾性ある鋼で形成されていることが望ましい。この押さえ板２１４は、図１１に示した状態で何かの衝撃で板１０６が跳ね上がってしまうのを防止する。なお、押さえ板２１４は、弾力性ある鋼で形成されているので、図９の状態の時にも十分に対応できる。
【００２４】
本考案のシャッターカーテン留めは、上記したように、簡単な構造で（しかも安価で）、シャッター装置の開閉移動するシャッターカーテンを上下方向の任意の位置（任意の開き具合）で留めることのでき実用的である。
【図面の簡単な説明】
【００２５】
【図１】第１の実施の形態によるシャッターカーテン留めの斜視図である。
【図２】第１の実施の形態によるシャッターカーテン留めを他の方向から見た斜視図である。
【図３】第１の実施の形態によるシャッターカーテン留め他の態様で示す斜視図である。
【図４】第１の実施の形態によるシャッターカーテン留めを他の方向から見た斜視図である。
【図５】第１の実施の形態によるシャッターカーテン留め他の態様で示す斜視図である。
【図６】第１の実施の形態によるシャッターカーテン留めを他の方向から見た斜視図である。
【図７】第１の実施の形態によるシャッターカーテン留めのブロックの回動状態を示す斜視図である。
【図８】シャッターカーテン装置の構造を説明するための裏面図である。
【図９】第１の実施の形態によるシャッターカーテン留めをシャッターカーテン装置に取り付けた状態で示した斜視図である。
【図１０】形が異なるシャッターカーテン装置に第１の実施の形態によるシャッターカーテン留めを取り付けた状態で示した斜視図である。
【図１１】本発明の実施の形態のシャッターカーテン留めに用いる蝶番の変形例と押さえ板を示す正面図である。
【図１２】図１１に示した蝶番に用いられる軸芯の側面図である。
【符号の説明】
【００２６】
１  シャッターカーテン
２  開口部
４  ガイドレール
５  シャッターケース
８  座板
９  スラット
９Ａ  スラット
１０  手掛け部材
１１  ロック装置
１２  連接部
１３  突出部
１００  シャッターカーテン留め
１０２  蝶番
１０４  枢軸
１０６  板
１０８  板
１１０  ブロック
１１２  ブロック部分
１１４  ゴム磁石片
１２０  シャッターカーテン留め
１２２  板
２００  蝶番
２０２  板
２０４  板
２０６  軸受け部
２０８  軸芯
２１２  スリット
２１４  押さえ板